【手続補正書】
【提出日】平成20年8月1日(2008.8.1)
【手続補正１】
【補正対象書類名】特許請求の範囲
【補正対象項目名】全文
【補正方法】変更
【補正の内容】
【特許請求の範囲】
【請求項１】
メダルの投入によって遊技が可能となる遊技機であって、
メダルが通過する通路と、
光を出射する発光素子と、前記発光素子からの出射光を受光するか否かが前記通路の所定の位置におけるメダルの有無に応じて変化する受光素子とを備え、前記受光素子が受光する受光状態と前記受光素子が受光しない非受光状態との何れかを示す検出信号を出力する検出部と、
前記検出部から出力された検出信号を読み取る信号読取手段と、
前記発光素子を発光状態および非発光状態の各々に制御する発光制御手段と、
前記発光素子が発光状態にあるときに前記信号読取手段が読み取った検出信号が受光状態および非受光状態の何れを示すかに基づいてメダルの投入を検出する投入検出手段と、
前記発光素子が非発光状態にあるときに前記信号読取手段が読み取った検出信号が受光状態を示す場合に不正と判定する不正判定手段と、
記憶手段とを具備し、
前記検出部は、前記所定の位置にメダルが存在するときに非受光状態を示す検出信号を出力するように構成され、
前記信号読取手段は、前記発光制御手段が前記発光素子を非発光状態に制御したときに前記検出部から出力された検出信号を第２センサ情報として前記記憶手段に記憶させ、前記発光制御手段が前記発光素子を当該非発光状態から発光状態に制御したときに前記検出部から出力された検出信号を第１センサ情報として記憶手段に記憶させ、
前記不正判定手段は、前記記憶手段から読み出した複数回分の前記第１センサ情報が連続して受光状態を示すとき、前記記憶手段から読み出した前記第２センサ情報に基づく不正の有無の判定を実行する
遊技機。
【請求項２】
メダルの投入によって遊技が可能となる遊技機であって、
メダルが通過する通路と、
光を出射する発光素子と、前記発光素子からの出射光を受光するか否かが前記通路の所定の位置におけるメダルの有無に応じて変化する受光素子とを備え、前記受光素子が受光する受光状態と前記受光素子が受光しない非受光状態との何れかを示す検出信号を出力する検出部と、
前記検出部から出力された検出信号を読み取る信号読取手段と、
前記発光素子を発光状態および非発光状態の各々に制御する発光制御手段と、
前記発光素子が発光状態にあるときに前記信号読取手段が読み取った検出信号が受光状態および非受光状態の何れを示すかに基づいてメダルの投入を検出する投入検出手段と、
前記発光素子が非発光状態にあるときに前記信号読取手段が読み取った検出信号が受光状態を示す場合に不正と判定する不正判定手段と、
記憶手段とを具備し、
前記検出部は、前記所定の位置にメダルが存在するときに非受光状態を示す検出信号を出力するように構成され、
前記信号読取手段は、前記発光制御手段が前記発光素子を非発光状態に制御したときに前記検出部から出力された検出信号を第２センサ情報として前記記憶手段に記憶させ、前記発光制御手段が前記発光素子を当該非発光状態から発光状態に制御したときに前記検出部から出力された検出信号を第１センサ情報として記憶手段に記憶させ、
前記不正判定手段は、前記記憶手段から読み出した複数回分の前記第１センサ情報が連続して受光状態を示すとき、前記記憶手段から読み出した複数回分の前記第２センサ情報が連続して受光状態を示す場合に限って不正と判定する
遊技機。
【手続補正２】
【補正対象書類名】明細書
【補正対象項目名】０００５
【補正方法】変更
【補正の内容】
【０００５】
本発明の第１の態様に係る遊技機（１）は、メダル（Ｍ）の投入によって遊技が可能となる遊技機（１）であって、メダル（Ｍ）が通過する通路（２２０）と、光を出射する発光素子（６０１）と、前記発光素子（６０１）からの出射光を受光するか否かが前記通路（２２０）の所定の位置におけるメダル（Ｍ）の有無に応じて変化する受光素子（６０２）とを備え、前記受光素子（６０２）が受光する受光状態と前記受光素子（６０２）が受光しない非受光状態との何れかを示す検出信号（１６０ａ）を出力する検出部（６０ａ）と、前記検出部（６０ａ）から出力された検出信号（１６０ａ）を読み取る信号読取手段（１０１）と、前記発光素子（６０１）を発光状態および非発光状態の各々に制御する発光制御手段（１０１，１８０）と、前記発光素子（６０１）が発光状態にあるときに前記信号読取手段（１０１）が読み取った検出信号（１６０ａ）が受光状態および非受光状態の何れを示すかに基づいてメダル（Ｍ）の投入を検出する投入検出手段（１０１）と、前記発光素子（６０１）が非発光状態にあるときに前記信号読取手段（１０１）が読み取った検出信号（１６０ａ）が受光状態を示す場合に不正と判定する不正判定手段（１０１）と、記憶手段（１０５）とを具備し、前記検出部（６０ａ）は、前記所定の位置にメダル（Ｍ）が存在するときに非受光状態を示す検出信号（１６０ａ）を出力するように構成され（すなわち、例えば発光素子と受光素子とが通路を挟んで対向する透過型のセンサ）、前記信号読取手段（１０１）は、前記発光制御手段（１０１，１８０）が前記発光素子（６０１）を非発光状態に制御したときに前記検出部（６０ａ）から出力された検出信号（１６０ａ）を第２センサ情報（センサ情報Ｂ）として前記記憶手段（１０５）に記憶させ、前記発光制御手段（１０１，１８０）が前記発光素子（６０１）を当該非発光状態から発光状態に制御したときに前記検出部（６０ａ）から出力された検出信号（１６０ａ）を第１センサ情報（センサ情報Ａ）として記憶手段（１０５）に記憶させ、前記不正判定手段（１０１）は、前記記憶手段（１０５）から読み出した複数回分の前記第１センサ情報（センサ情報Ａ）が連続して受光状態を示すとき、前記記憶手段（１０５）から読み出した前記第２センサ情報（センサ情報Ｂ）に基づく不正の有無の判定を実行する。
また、本発明の第２の態様に係る遊技機（１）は、メダルの投入によって遊技が可能となる遊技機であって、メダルが通過する通路と、光を出射する発光素子と、前記発光素子からの出射光を受光するか否かが前記通路の所定の位置におけるメダルの有無に応じて変化する受光素子とを備え、前記受光素子が受光する受光状態と前記受光素子が受光しない非受光状態との何れかを示す検出信号を出力する検出部と、前記検出部から出力された検出信号を読み取る信号読取手段と、前記発光素子を発光状態および非発光状態の各々に制御する発光制御手段と、前記発光素子が発光状態にあるときに前記信号読取手段が読み取った検出信号が受光状態および非受光状態の何れを示すかに基づいてメダルの投入を検出する投入検出手段と、前記発光素子が非発光状態にあるときに前記信号読取手段が読み取った検出信号が受光状態を示す場合に不正と判定する不正判定手段と、記憶手段とを具備し、前記検出部は、前記所定の位置にメダルが存在するときに非受光状態を示す検出信号を出力するように構成され、前記信号読取手段は、前記発光制御手段が前記発光素子を非発光状態に制御したときに前記検出部から出力された検出信号を第２センサ情報として前記記憶手段に記憶させ、前記発光制御手段が前記発光素子を当該非発光状態から発光状態に制御したときに前記検出部から出力された検出信号を第１センサ情報として記憶手段に記憶させ、前記不正判定手段（１０１）は、前記記憶手段（１０５）から読み出した複数回分の前記第１センサ情報（センサ情報Ａ）が連続して受光状態を示すとき、前記記憶手段（１０５）から読み出した複数回分の前記第２センサ情報（センサ情報Ｂ）が連続して受光状態を示す場合に限って不正と判定する。
【手続補正３】
【補正対象書類名】明細書
【補正対象項目名】０００７
【補正方法】変更
【補正の内容】
【０００７】
なお、本発明における「発光状態」とは、発光素子が光を出射している状態である。一方、「非発光状態」とは、発光素子が完全に消灯している状態（すなわち発光素子から出射する光量がゼロである状態）のほか、発光状態における光量よりも少ない光量で発光している状態も含む。同様に、「非受光状態」とは、受光素子による受光量がゼロである状態のほか、受光状態よりも少ない光量を受光素子が受光している状態も含む。また、記憶手段は、ＲＡＭ（Random  Access  Memory）のほか、ＣＰＵ（Central  Processing  Unit）に設けられた一時的な記憶領域であるレジスタやＣＰＵの外部に設けられたラッチ回路も含む。
【手続補正４】
【補正対象書類名】明細書
【補正対象項目名】０００８
【補正方法】削除
【補正の内容】
【手続補正５】
【補正対象書類名】明細書
【補正対象項目名】０００９
【補正方法】削除
【補正の内容】